(57)【要約】【課題】折畳状態からの組立性を向上させると共に、組立状態での保形性を向上させる。【解決手段】底壁１の周囲に各一対の側壁２及び妻壁３を連設し、側壁２を底壁１に順次繋がる外側板４、頂板５及び内側板６から構成し、妻壁３の上端に桟板７を、側端に妻折片８をそれぞれ連設し、桟板７と妻折片８とを繋ぐ桟折片９を設け、妻折片８に底壁１の隅角側から斜めに延びる折目線８ａを入れ、桟折片９に妻壁３の上角側から斜めに延びる折目線９ａを入れて、外側板４を外側へ、妻壁３を内側へ倒し、妻折片８の一部分を外側板４の内面に貼り付けた折畳状態から組み立てる簡易組み立てトレーにおいて、前記折畳状態では、妻折片８を折目線８ａ沿いに山折りしておき、組立時にその折り曲げが伸ばされ、一重になった妻折片８と桟折片９の一部分とが外側板４と内側板６との間に挟まれるようにする。【選択図】図４
2011173592.tif 000002
【特許請求の範囲】
【請求項１】
底壁(1)の周囲に各一対の側壁(2)及び妻壁(3)を連設し、側壁(2)を底壁(1)に順次繋がる外側板(4)、頂板(5)及び内側板(6)から構成し、妻壁(3)の上端に桟板(7)を、側端に妻折片(8)をそれぞれ連設して、桟板(7)と妻折片(8)とを繋ぐ桟折片(9)を設け、妻折片(8)に底壁(1)の隅角側から斜めに延びる折目線(8a)を入れ、桟折片(9)に妻壁(3)の上角側から斜めに延びる折目線(9a)を入れて、外側板(4)を外側へ、妻壁(3)を内側へ倒し、妻折片(8)の一部分を外側板(4)の内面に貼り付けた折畳状態から組み立てる簡易組み立てトレーにおいて、前記折畳状態では、妻折片(8)を折目線(8a)沿いに山折りしておき、組立時にその折り曲げが伸ばされ、一重になった妻折片(8)と桟折片(9)の一部分とが外側板(4)と内側板(6)との間に挟まれるようにしたことを特徴とする簡易組立トレー。
【発明の詳細な説明】
【技術分野】
【０００１】
この発明は、折り畳んだ状態からワンタッチで組み立てられる簡易組立トレーに関するものである。
【背景技術】
【０００２】
従来、青果物等を収納する段ボール製の簡易組立トレーとして、下記特許文献１には、図５及び図６に示すようなものが記載されている。
【０００３】
このトレーの底壁５１の周囲には、一対の側壁５２及びこれに隅角部を介して隣り合う一対の妻壁５３が連設され、側壁５２は、底壁５１に順次繋がる外側板５４、頂板５５及び内側板５６から構成されている。妻壁５３の上端には、桟板５７が連設されている。
【０００４】
妻壁５３と外側板５４の側端同士は、妻折片５８を介して繋がれ、桟板５７と妻折片５８とは、桟折片５９を介して繋がれている。妻折片５８には、底壁５１の隅角側から斜めに延びる折目線５８ａが入れられ、桟折片５９には、妻壁５３の上角側から斜めに延びる折目線５９ａが入れられている。
【０００５】
内側板５６には、中間部に先端から２本の切目を入れて貼着片５６ａが形成され、側部に放射状に折目線５６ｂが入れられている。内側板５６の先端には係止突起５６ｃが設けられ、底壁５１には、外側板５４との境界部分に係止穴５１ａが設けられている。
【０００６】
このトレーは、外側板５４を外側へ、妻壁５３を内側へ倒し、妻折片５８の一部分を外側板５４の内面に貼り付け、頂板５５を額縁状に折り曲げ、内側板５６を内側へ折り曲げて、貼着片５６ａを外側板５４の内面に貼り付けた偏平な折畳状態で、青果物の生産者等の使用者へ納品される。
【０００７】
そして、使用者において、上記折畳状態から、桟板５７を引き上げると、妻壁５３及び外側板５４が起き上がり、内側板５６の側部が折目線５６ｂに沿って撓みつつ、妻折片５８が折目線５８ａ沿いに谷折りされる。
【０００８】
また、桟折片５９が折目線５９ａ沿いに谷折りされて、桟板５７が内側水平方向へ折れ曲がり、二つ折り状態になった妻折片５８と桟折片５９の一部分とが外側板５４と内側板５６との間に挟まれ、この状態で、係止突起５６ｃを係止穴５１ａに係合させると、トレーの組立状態が維持される。
【先行技術文献】
【特許文献】
【０００９】
【特許文献１】特開２００７−３２６６０４号公報
【発明の概要】
【発明が解決しようとする課題】
【００１０】
しかしながら、上記のような簡易組立トレーでは、外側板５４と内側板５６との間に段ボールが三枚重なって挟まれ、そのうち、妻折片５８が二つ折りにされた状態になっていることから、段ボールの反発が大きく、組立性や保形性にやや問題がある。
【００１１】
そこで、この発明は、折畳状態からの組立性を向上させると共に、組立状態での保形性を向上させることを課題する。
【課題を解決するための手段】
【００１２】
上記課題を解決するため、この発明は、底壁の周囲に側壁及び妻壁を連設し、側壁を底壁に順次繋がる外側板、頂板及び内側板から構成し、妻壁の上端に桟板を、側端に妻折片をそれぞれ連設して、桟板と妻折片とを繋ぐ桟折片を設け、妻折片に底壁の隅角側から斜めに延びる折目線を入れ、桟折片に妻壁の上角側から斜めに延びる折目線を入れて、外側板を外側へ、妻壁を内側へ倒し、妻折片の一部分を外側板の内面に貼り付けた折畳状態から組み立てる簡易組み立てトレーにおいて、前記折畳状態では、妻折片を折目線沿いに山折りしておき、組立時にその折り曲げが伸ばされ、一重になった妻折片と桟折片の一部分とが外側板と内側板との間に挟まれるようにしたのである。
【発明の効果】
【００１３】
この簡易組立トレーでは、組み立てに際し、一重になった妻折片と桟折片の一部分の二枚だけが外側板と内側板との間に挟まれるので、段ボールの厚さと折目による反発の影響をあまり受けることなく、組立作業を容易に行うことができ、組立状態における内側板の迫り出しも防止され、保形性が向上する。
【図面の簡単な説明】
【００１４】
【図１】この発明に係る簡易組立トレーのブランクを示す図
【図２】同上の折畳状態を示す斜視図
【図３】同上の組立過程を示す斜視図
【図４】同上の組立状態を示す斜視図
【図５】従来の簡易組立トレーの組立過程を示す斜視図
【図６】同上の組立状態を示す斜視図
【発明を実施するための形態】
【００１５】
以下、この発明の実施形態を添付図面に基づいて説明する。
【００１６】
図1に示すように、この簡易組立トレーの段ボール製ブランクでは、長方形の底壁１の一対の長辺に側壁２が、一対の短辺に妻壁３がそれぞれ連設され、側壁２は、底壁１に順次繋がる外側板４、頂板５及び内側板６から構成されている。妻壁３には、組立時における上端に桟板７が連設されている。
【００１７】
妻壁３の側端には、妻折片８が側壁２とは切り離して連設され、桟板７の側端と妻折片８の組立時における上端とは桟折片９を介して繋がれている。妻壁３及び桟板７と妻折片８及び桟折片９との交点には、組立時の折曲抵抗を軽減する逃穴１０が設けられている。
【００１８】
妻折片８には、底壁１の隅角側から斜めに延びる折目線８ａが入れられ、折目線８ａは桟折片９の先端縁まで達している。桟折片９には、妻壁３の組立時における上角側から斜めに延びる折目線９ａが入れられている。
【００１９】
折目線８ａ，９ａ及び妻折片８と桟折片９との境界の折目線は、折曲抵抗を軽減するため、押罫と切目とが交互に断続するリード罫とされている。
【００２０】
内側板６の両側端には、基端側と先端側とが逆方向に傾斜した括れるような切欠部６ａが形成されている。内側板６の両側部先端には、係止突起６ｂが設けられ、底壁１には、外側板４との境界部分に係止穴１ａが設けられている。
【００２１】
上記のようなブランクは、図２に示すように、外側板４を底壁１から折り曲げることなく、外側へ倒した状態のまま、妻壁３を底壁１の上方内側へ倒し、妻折片８を折目線８ａ沿いに山折りして、妻折片８の下面となった一部分を外側板４の内面に貼り付けた偏平な折畳状態で、使用者へ納品される。
【００２２】
そして、使用者において、上記折畳状態から、桟板７を引き上げると、図３に示すように、妻壁３及び外側板４が起き上がり、妻折片８の折目線８ａに沿った折り曲げが伸び、妻折片８が全体的に外側板４の内面に重なる。
【００２３】
次に、その状態から、頂板５を額縁状に折り曲げ、内側板６を内側へ折り曲げると、切欠部６ａの基端側の傾斜縁で桟折片９の折目線９ａの部分が押圧され、桟折片９が折目線９ａ沿いに谷折りされて、桟板７が内側へ折れ曲がる。
【００２４】
続いて、図４に示すように、内側板６をさらに下方へ折り曲げると、一重になった妻折片８と桟折片９の一部分とが外側板４と内側板６との間に挟まれて、桟板７が水平方向に保持され、最後に、内側板６の係止突起６ｂを底壁１の係止穴１ａに係合させると、内側板６の跳ね上がりが防止され、トレーの組立状態が維持される。
【００２５】
上記のような簡易組立トレーでは、組み立てに際し、一重になった妻折片８と桟折片９の一部分の二枚だけが外側板４と内側板６との間に挟まれるので、段ボールの厚さと折目による反発の影響をあまり受けることなく、組立作業を容易に行うことができ、組立状態における内側板６の迫り出しも防止され、保形性が向上する。
【００２６】
また、括れた形状の切欠部６ａにより、桟折片９の折目線９ａに沿った折曲部分が保持されるので、段積み時の荷重により、桟板７がトレー内に落ち込む現象が防止される。
【００２７】
なお、上記実施形態では、トレーの両側に桟板７を設けたものを例示したが、トレーの片側にのみ桟板７を設ける形式のものに対しても、妻折片８及び桟折片９について、上記のような構成を適用することができる。
【符号の説明】
【００２８】
１  底壁
１ａ  係止穴
２  側壁
３  妻壁
４  外側板
５  頂板
６  内側板
６ａ  切欠部
６ｂ  係止突起
７  桟板
８  妻折片
８ａ  折目線
９  桟折片
９ａ  折目線
【図１】
2011173592.tif 000003
【図２】
2011173592.tif 000004
【図３】
2011173592.tif 000005
【図４】
2011173592.tif 000006
【図５】
2011173592.tif 000007
【図６】
2011173592.tif 000008